(57)【特許請求の範囲】
【請求項１】
表示部と、
前記表示部の表示領域を、映像コンテンツを表示するための第１表示領域と操作入力を行うための第２表示領域に区分する表示制御部と、
前記第１表示領域と前記第２表示領域の比率に関する第１の情報を前記映像コンテンツのジャンルに関連付けて記憶する記憶部と、
表示対象とされる前記映像コンテンツのジャンルを判別する判別部とを備え、
前記表示制御部は、前記判別部によって判別された前記ジャンルに対応する前記第１の情報を前記記憶部から読み出し、当該第１の情報に基づいて前記表示領域を前記第１表示領域と前記第２表示領域に区分する、
ことを特徴とする映像表示機能付き端末装置。
【請求項２】
請求項１に記載の映像表示機能付き端末装置において、
前記表示制御部は、前記第２表示領域に表示される操作キーの個数を前記第１の情報に応じて変化させる、
ことを特徴とする映像表示機能付き端末装置。
【請求項３】
請求項１または２に記載の映像表示機能付き端末装置において、
前記ジャンルに関連付けられた前記比率を外部からの操作に応じて変更する変更部を備える、
ことを特徴とする映像表示機能付き端末装置。
【請求項４】
請求項１ないし３のいずれか一項に記載の映像表示機能付き端末装置において、
前記記憶部は、前記ジャンルに関連付けられていない前記比率に関する第２の情報を記憶し、
前記表示制御部は、前記判別部によってジャンルが判別され得ない場合、前記第２の情報を前記記憶部から読み出して、当該第２の情報に基づいて前記表示領域を前記第１表示領域と前記第２表示領域に区分する、
ことを特徴とする映像表示機能付き端末装置。
【請求項５】
請求項１ないし４のいずれか一項に記載の映像表示機能付き端末装置において、
前記表示制御部は、前記映像コンテンツが表示されているときに、外部からの操作に応じて、前記第１表示領域と前記第２表示領域の比率を他の比率に切替える、
ことを特徴とする映像表示機能付き端末装置。
【請求項６】
請求項１ないし５のいずれか一項に記載の映像表示機能付き端末装置において、
前記第２表示領域に表示される操作キーの配置パターンを外部からの操作に応じて設定するキーパターン設定部をさらに備える、
こと特徴とする映像表示機能付き端末装置。
【発明の詳細な説明】
【技術分野】
【０００１】
本発明は、映像表示機能付き端末装置に関し、特に、携帯電話機やＰＤＡ（Personal Digital Assistant）等の携帯端末装置に用いて好適なものである。
【背景技術】
【０００２】
現在、映像コンテンツ（テレビ番組等）を視聴可能な携帯電話機が商品化され普及しつつある。この種の携帯電話機として、たとえば、以下の特許文献１に記載のものが知られている。
【０００３】
特許文献１の携帯電話機では、上側筐体と下側筐体がヒンジ部によって連結され、折り畳み可能となっている。上側筐体には表示部（ディスプレイ面）が配されており、下側筐体にはキー入力部が配されている。ここで、ディスプレイ面は縦長矩形形状を有している。
【０００４】
かかる携帯電話機では、本体を縦向きにした状態の他、横向きにした状態においても、ディスプレイ面に映像コンテンツを表示することができる。本体を横向きにした状態では、たとえば、横長（ワイドモード）にて、映像コンテンツをディスプレイ面上に拡大表示することができる。
【特許文献１】特開２００５−０１２４９３号公報
【発明の開示】
【発明が解決しようとする課題】
【０００５】
上記特許文献１では、携帯電話機本体が上側筐体と下側筐体に分離されているが、携帯電話機本体を一つの筐体とし、その前面を全てディスプレイ面とすることも可能である。この場合、操作ボタンは、たとえば、ディスプレイ面上にタッチパネルとして配置することができる。こうすると、ディスプレイ面は、映像コンテンツを表示するための領域と、操作ボタンを表示するための領域に区分され、操作ボタンの表示領域にタッチパネルが配されることとなる。
【０００６】
この場合、携帯電話機本体前面は全て画像を表示可能であるため、映像コンテンツを表示するための領域と、操作ボタンを表示するための領域は必ずしもその大きさが固定されている必要はなく、適宜、各領域の比率を変え得るようにすることもできる。
【０００７】
この場合、映像コンテンツの表示領域を大きくすると大画面での視聴が可能となるが、反面、操作ボタンの配置が制限され操作性が低下する。一方、操作ボタンの表示領域を大きくすると操作性が向上するが、反面、映像コンテンツの表示領域が制限され視聴性が低下する。
【０００８】
このように、携帯電話機前面を全てディスプレイ面とする場合には、一方で映像コンテンツの視聴性を考慮しつつ他方でユーザにおける操作性に配慮して、ディスプレイ面に映像コンテンツと操作ボタンを割り振る必要がある。
【０００９】
本発明は、このような課題に鑑みてなされたものであり、映像コンテンツの視聴性と端末装置の操作性を効果的に高めることができる映像表示機能付き端末装置を提供することを目的とする。
【課題を解決するための手段】
【００１０】
上記課題に鑑み本発明は、以下の特徴を有する。
【００１１】
請求項１の発明に係る映像表示機能付き端末装置は、表示部と、前記表示部の表示領域を、映像コンテンツを表示するための第１表示領域と操作入力を行うための第２表示領域に区分する表示制御部と、前記第１表示領域と前記第２表示領域の比率に関する第１の情報を前記映像コンテンツのジャンルに関連付けて記憶する記憶部と、表示対象とされる前記映像コンテンツのジャンルを判別する判別部とを備え、前記表示制御部は、前記判別部によって判別された前記ジャンルに対応する前記第１の情報を前記記憶部から読み出し、当該第１の情報に基づいて前記表示領域を前記第１表示領域と前記第２表示領域に区分することを特徴とする。
【００１２】
請求項２の発明は、請求項１に記載の映像表示機能付き端末装置において、前記表示制御部は、前記第２表示領域に表示される操作キーの個数を前記第１の情報に応じて変化させることを特徴とする。
【００１３】
請求項３の発明は、請求項１または２に記載の映像表示機能付き端末装置において、前記ジャンルに関連付けられた前記比率を外部からの操作に応じて変更する変更部を備えることを特徴とする。
【００１４】
請求項４の発明は、請求項１ないし３のいずれか一項に記載の映像表示機能付き端末装置において、前記記憶部は、前記ジャンルに関連付けられていない前記比率に関する第２の情報を記憶し、前記表示制御部は、前記判別部によってジャンルが判別され得ない場合、前記第２の情報を前記記憶部から読み出して、当該第２の情報に基づいて前記表示領域を前記第１表示領域と前記第２表示領域に区分することを特徴とする。
【００１５】
請求項５の発明は、請求項１ないし４のいずれか一項に記載の映像表示機能付き端末装置において、前記表示制御部は、前記映像コンテンツが表示されているときに、外部からの操作に応じて、前記第１表示領域と前記第２表示領域の比率を他の比率に切替えることを特徴とする。
【００１６】
請求項６の発明は、請求項１ないし５のいずれか一項に記載の映像表示機能付き端末装置において、前記第２表示領域に表示される操作キーの配置パターンを外部からの操作に応じて設定するキーパターン設定部をさらに備えること特徴とする。
【発明の効果】
【００１７】
請求項１の構成によれば、表示領域が映像コンテンツ表示用の第１表示領域と操作入力を行うための第２表示領域とに区画されるとともに、両領域の比率が、映像コンテンツのジャンルに応じて変更される。よって、スポーツ番組など映像が重視される映像コンテンツに対しては、第１表示領域を大きくすることにより映像が視聴しやすくなり、ニュース番組など映像がそれほど重視されない映像コンテンツに対しては、第２表示領域を大きくすることにより、映像コンテンツに関連する操作等が行いやすくなる。
【００１８】
なお、映像コンテンツのジャンルは、たとえば、地上波デジタル放送を受信して映像コンテンツを表示するような場合には、受信した放送波に含まれるジャンル情報に基づいて判別することができる。
【００１９】
請求項２の構成によれば、第２表示領域が小さくなった場合には、それに応じて操作キーの個数が少なくなるため、操作キーのサイズが顕著に小さくなることはなく、よって、キー操作がし難くなるのを防止できる。
【００２０】
請求項３の構成によれば、第１表示領域と第２表示領域の比率を、ユーザが選択設定できるため、ジャンル毎にユーザの好みに合わせた形態で表示を行うことができる。
【００２１】
請求項４の構成によれば、たとえば放送波からジャンル情報が得られない場合等、前記判別部によってジャンルが判別され得ない場合にも、所定の比率にて、第１表示領域と第２表示領域を構成することができる。
【００２２】
請求項５の構成によれば、映像コンテンツの表示中に、第１表示領域と第２表示領域の比率をユーザが変更できるので、必要な場面に応じて、映像コンテンツの表示領域を大きくしあるいは操作入力のための領域を大きくしたりすることができ、ユーザの利便性を向上させることができる。
【００２３】
請求項６の構成によれば、操作キーの配置パターンをユーザが適宜設定できるので、ユーザが使いやすい配置パターンを選ぶことができ、ユーザの使い勝手を向上させることができる。
【００２４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２５】
以下、本発明の実施形態につき図面を参照して説明する。なお、本実施の形態では、画像を映し出す面のことをディスプレイ面と称し、このディスプレイ面全面に映し出される画像のことを表示画面（請求項に記載の「表示領域」に相当）と称する。
【００２６】
図１は、本発明の映像表示機能付き端末装置の一実施形態である携帯電話機の構成を示す図である。同図（ａ）、（ｂ）、（ｃ）はそれぞれ、正面図、右側面図、背面図である。
【００２７】
図１を参照して、本実施の形態の携帯電話機は、その外郭を構成するキャビネット１を備える。キャビネット１は、正面視で縦長矩形状を有する。キャビネット１の正面には、ほぼ全面に亘ってディスプレイ面２が配されている。ディスプレイ面２は、キャビネット１と同様、縦長矩形状を有している。
【００２８】
ディスプレイ面２は、液晶パネル３により構成されている。液晶パネル３の前方には、タッチパネル４が配されている。タッチパネル４は、ユーザに押されたディスプレイ面２上の位置を検出し、その位置に応じた信号（位置信号）を出力する。タッチパネル４の前方には、保護パネル５が配されている。保護パネル５は、タッチパネル４が傷つかないよう保護するものである。保護パネル５の表面には、その下部領域に、縦溝５ａおよび横溝５ｂが格子状に形成されている。これら溝５ａ、５ｂで囲まれた四角領域Ｓに機能を示す文字や記号が表示されると、この四角領域Ｓが、種々の操作を行うための１つの機能ボタン（ソフトキー）となる。なお、操作領域Ｒ２が四角領域Ｓのない領域にまで設定されている場合、四角領域Ｓのない領域では、たとえば、機能の文字を四角い線で囲むなど、隣の機能との境界が分かるような機能ボタンの表示がなされる。
【００２９】
ディスプレイ面２に表示される表示画面には、水平方向に延びるバー６が含まれている。バー６は表示画面を上下２つの領域に区切る。バー６より上の領域が表示領域Ｒ１（第１表示領域に相当）となり、下の領域が操作領域Ｒ２（第２表示領域に相当）となる。表示領域Ｒ１には、テレビ画像や写真画像、テキスト画像などが表示される。また、操作領域Ｒ２には、種々の機能ボタンが配置される。バー６は、ジョグダイヤル７の操作により、表示画面上を上下に移動させることができる。
【００３０】
ジョグダイヤル７は、キャビネット１背面の中央部に設けられており、上下方向に回転する。ジョグダイヤル７が上方向に回転すると、バー６が上方に移動し、ジョグダイヤル７が下方向に回転すると、バー６が下方に移動する。ジョグダイヤル７の左右には、それぞれ、Ｒボタン８とＬボタン９が配されている。これらＲボタン８およびＬボタン９により、一定の処理を行うための操作を行うことができる。
【００３１】
キャビネット１の内部には、その上部にカメラモジュール１０が配されている。このカメラモジュール１０の撮像レンズ１０ａとフラッシュ部１０ｂとがキャビネット１の背面に配されている。
【００３２】
この携帯電話機では、バー６を所定の位置に固定することにより、各種モード（メールモード、テレビモード、ミュージックモード、インターネットモード、カメラモードなど）の表示画面の切替えを行うことができる。
【００３３】
このため、表示画面上には、上下方向に複数の固定位置（たとえば、Ｌ１〜Ｌ６）が設定されている。たとえば、ユーザが、ジョグダイヤル７を操作して、バー６を固定位置Ｌ５に移動させ、バー６が固定位置Ｌ５にある状態でＲボタン７を押すと、テレビモードの表示画面が表示される。さらに、バー６を固定位置Ｌ６に移動させてＲボタン８を押すと、テレビモードの表示画面からメールモードの表示画面に切り替わる。
【００３４】
図２（ａ）は、テレモードの画面表示例を示す。また、同図（ｂ）は、メールモードの画面表示例を示す。テレビモードにおいては、図２（ａ）に示すように、映像コンテンツが表示領域Ｒ１に表示され、映像表示に関連する操作のための複数の機能ボタンが操作領域Ｒ２に表示される。また、メールモードにおいては、同図（ｂ）に示すように、入力された文字などが表示領域Ｒ１に表示され、メールの入力や送受信のための機能ボタンが操作領域Ｒ２に表示される。
【００３５】
図３は、本実施の形態に係る携帯電話機の回路構成を示すブロック図である。携帯電話機は、図１により説明した構成部品の他、ＣＰＵ１００、ＴＶモジュール２００、マイク３００、パネルスピーカ４００、通信処理部５００、液晶表示器６００、メモリ７００、バッテリー８００、電源部９００を備える。
【００３６】
ＴＶモジュール２００は、ＴＶチューナなどを含み、アンテナ２１０を介して受信した地上デジタル放送波、地上アナログ放送波などの電波を映像信号に変換してＣＰＵ１００に送る。
【００３７】
カメラモジュール１０は、上記撮像レンズ１０ａおよびフラッシュ部１０ｂの他、撮像素子１０ｃを含む。撮像レンズ１０ａは、被写体の像を撮像素子１０ｃ上に結像させる。撮像素子１０ｃは、例えばＣＣＤからなり、取り込んだ画像に応じた撮像信号を生成し、ＣＰＵ１００へ送る。
【００３８】
マイク３００は、音声信号を電気信号に変換してＣＰＵ１００へ送る。パネルスピーカ４００は、ＣＰＵ１００からの音声信号を音声として再生する。
【００３９】
通信処理部５００は、ＣＰＵ１００からの音声信号や画像信号、テキスト信号などを無線信号に変換し、アンテナ５１０を介して基地局へ送信するとともに、アンテナ５１０を介して受信した無線信号を音声信号や画像信号、テキスト信号などに変換してＣＰＵ１００へ送る。
【００４０】
液晶表示器６００は、上記液晶パネル３と、液晶パネル３の光源となるバックライト装置（図示せず）を備え、ＣＰＵ１００から駆動信号によって、液晶パネル３上に画像を表示する。
【００４１】
メモリ７００には、カメラモジュール１０で撮影した画像データや通信処理部５００を介して外部から取り込んだ画像データ、テキストデータ（メールデータ）などが所定のファイル形式で保存される。また、メモリ７００には、ＴＶモジュール２００や通信処理部５００により外部から取得した映像コンテンツ（テレビ番組、映画など）が、そのジャンル情報とともに保存される。
【００４２】
バッテリー８００は、ＣＰＵ１００やＣＰＵ１００以外の携帯電話機の各部へ電力を供給するためのものであり、二次電池からなる。バッテリー８００は、電源部９００に接続されている。
【００４３】
電源部９００は、バッテリー８００の電圧を前記各構成部に必要な大きさの電圧に変換して各構成部に供給する。また、電源部９００は、外部電源の入力部（図示せず）を介して供給された電力をバッテリー８００に供給して、バッテリー８００を充電する。電源部９００には、電圧検出部９１０が設けられている。電圧検出部９１０は、バッテリー８００の電圧を検出して、ＣＰＵ１００へ送る。
【００４４】
ＣＰＵ１００は、タッチパネル４、ジョグダイヤル７、Ｒボタン８、Ｌボタン９、マイク３００、撮像素子１０ｃなど各部からの入力信号に基づいて、パネルスピーカ４００、液晶表示器６００などの各部に制御信号を出力することにより、通話処理や各種モード（メールモード、インターネットモード、テレビモード、カメラモードなど）の処理を行う。また、ＣＰＵ１００は、電圧検出部９１０からの電圧信号に基づいて、バッテリー８００の残量を判断する。
【００４５】
ＣＰＵ１００は、判別部１１０と、表示制御部１２０と、画像設定部１３０とを含む。判別部１１０は、ＴＶモジュール２００や通信制御部５００によって外部から取得した映像コンテンツのジャンルを判別するものである。たとえば、映像コンテンツが地上デジタル放送波によって送られてくる場合、放送波に含まれるＥＩＴ（Event Information Table）にジャンル情報が配置されている。判別部１１０は、このＥＩＴのジャンル情報によって映像コンテンツのジャンルを判別する。
【００４６】
また、サーバーからストリーミング配信される映像コンテンツやサーバーからダウンロードされる映像コンテンツの場合、サーバーへアクセスした際に、サーバーからその映像コンテンツのジャンル情報が入手できる。判別部１１０は、映像コンテンツと同時にサーバーから入手したジャンル情報によって映像コンテンツのジャンルを判別する。
【００４７】
なお、映像コンテンツが地上アナログ放送波によって送られてくる場合、放送波自身にジャンル情報は含まれていない。この場合、携帯電話機は、予め放送局などにアクセスし、ＥＰＧ（電子番組表）を入手しておく。このＥＰＧにはテレビ番組（映像コンテンツ）のジャンル情報が含まれている。判別部１１０は、映像コンテンツが受信された時刻と受信チャンネルから、ＥＰＧに基づいて映像コンテンツのジャンルを判別する。
【００４８】
なお、映像コンテンツがメモリ７００内に記録（録画）される場合には、ジャンル情報も一緒に記録される。よって、メモリ７００から映像コンテンツを読み出す場合も、一緒にジャンル情報を読み出すことにより、判別部１１０によってジャンルを判別することができる。
【００４９】
表示制御部１２０は、ＣＰＵ１００内に用意された作業エリアとなるメモリ（図示せず）内で、液晶表示器６００に表示する画像を生成し、生成した画像を表示させるための画像信号（ＲＧＢ信号）を液晶表示器６００に出力する。また、表示制御部１２０は、撮像素子１０ｃから送られてきた画像データ、メモリ７００内に保存された画像データ、ＴＶモジュール２００や通信処理部５００を介して受信した画像データ（映像コンテンツ）などを取り込む。そして、取り込んだ画像データから画像信号（ＲＧＢ信号）を生成し、生成した画像信号を液晶表示器６００に出力する。液晶表示器６００の液晶パネル３、すなわちディスプレイ面２には、画像信号に応じた画像（映像）が表示される。
【００５０】
画像設定部１３０は、後述するように、ユーザの設定操作に基づいて、テレビモードの表示画面に関する種々の設定を行う。
【００５１】
さて、本実施の形態の携帯電話機では、テレビモードにおいて、映像コンテンツを表示する際に、その映像コンテンツのジャンルに応じた表示画面を表示するようにしている。
【００５２】
メモリ７００内には、テレビモードにおける画面表示のための各種データが記憶されている。すなわち、メモリ７００内には、図４（ａ）に示すように、表示領域Ｒ１と操作領域Ｒ２の比率を異なる２つの画面モード（小画面モード、大画面モード）に設定するためのデータが格納されている。
【００５３】
小画面モードでは、表示領域Ｒ１に映像が縦向きに表示される。大画面モードでは、表示領域Ｒ１に映像が横向きに表示される。大画面モードは、小画面モードに比べ、表示領域Ｒ１が大きい。このため、大画面モードでは、映像が大きく表示される。小画面モードは、大画面モードに比べ、操作領域Ｒ２が大きい。このため小画面モードでは、機能ボタンが多く配置される。
【００５４】
また、メモリ７００内には、図４（ｂ）に示すように、小画面モードにおける機能ボタンの配置パターンに係るデータが複数個（たとえば、パターンＳ１〜Ｓ３）格納されている。また、大画面モードにおける機能ボタンの配置パターンに係るデータが複数個（たとえば、パターンＢ１〜Ｂ３）格納されている。各配置パターンにおいては、互いに、機能ボタンの種類や配列が異なっている。
【００５５】
さらに、メモリ７００内には、図４（ｃ）に示すように、画面設定テーブルが格納されている。この画面設定テーブルには、「ニュース」、「スポーツ」など、各種ジャンルに対応する画面モードと配置パターンが設定されている。たとえば、「ニュース」の場合、映像だけでなく、音声によっても内容を十分に把握し得るので、小画面モードが設定されている。また、「スポーツ」の場合、映像が中心となるため、細部が見やすいよう、大画面モードが設定されている。字幕付きの映画についても、字幕が読みやすいよう、大画面モードに設定されている。さらに、画面設定テーブルには、ジャンル情報がない場合にも対応できるよう、「ジャンル情報なし」に対応する画面モードと配置パターンとが設定されている。画面設定テーブルは、携帯電話機の製造時に任意の初期値に設定されている。画面設定テーブルの内容は、後述するように、ユーザによって変更することができる。
【００５６】
図５は、テレビモードにおける画面表示制御を説明するためのフローチャートである。また、図６は、ジャンル判別に基づいて表示されるテレビモードの表示画面の画面表示例を示す図である。
【００５７】
図５に基づいて、その動作を説明する。上述のように、ジョグダイヤル７を操作することによって、テレビモードに切替えられる。たとえば、ＴＶモジュール２００を介してＣＰＵ１００に映像コンテンツが取り込まれる。まず、判定部１１０は、その映像コンテンツのジャンル情報を取得する（Ｓ１）。判定部１１０は、取得したジャンル情報に基づいてジャンルを判別し（Ｓ２）、その結果を表示制御部１２０に与える。なお、このとき、ジャンル情報がなければ、ジャンル情報がないとの結果を表示制御部１２０に与える。
【００５８】
表示制御部１２０は、画面設定テーブルの内容に従って、判別部１１０が判別したジャンル（「ジャンル情報なし」を含む）に対応する画面モードおよび配置パターンをメモリ７００内から読み出す。そして、表示制御部１２０は、読み出した画面モードに従って、表示領域Ｒ１および操作領域Ｒ２を設定する（Ｓ３）。次に、表示制御部１２０は、読み出した配置パターンに従って、液晶表示器６００に画像信号を出力し、操作領域Ｒ２内に機能ボタンを表示させる。同時に映像コンテンツの画像信号を出力して、表示領域Ｒ１に映像コンテンツを表示させる（Ｓ４）。
【００５９】
こうして、たとえば、映像コンテンツがニュース番組であれば、図６（ａ）に示すような、映像画面が小さく機能ボタンの数が多い、小画面モードの表示画面が表示される。また、映像コンテンツがスポーツ番組であれば、図６（ｂ）に示すような、映像画面が大きく機能ボタンの数が少ない大画面モードの表示画面が表示される。
【００６０】
このように、ニュース番組の場合には、表示領域Ｒ１が小さい分、操作領域Ｒ２が大きくなるので、機能ボタンを多く配置でき、操作性がよくなる。一方、スポーツ番組の場合には、表示領域Ｒ１が大きくなるので、映像を大きく表示でき、映像が見やすくなる。
【００６１】
ところで、映像コンテンツが表示されている途中に、ユーザが画面モードを変更したい場合が考えられる。たとえば、ニュース番組のスポーツコーナで、ダイジェスト映像が放送された場合などが想定される。そこで、本実施の形態では、画面モードを切替えるためのボタンが設けられている。たとえば、Ｒボタン８が切替ボタンとして利用される。図６（ａ）の小画面モードにて映像表示が行われている際に、Ｒボタン８が押されると、表示制御部１２０が、小画面モードから同図（ｂ）の大画面モードに表示画面を切替えるようにする。なお、切替ボタンを、操作領域Ｒ２に配するようにしてもよい。
【００６２】
さて、上述したように、画面設定テーブルの各ジャンルに対応する画面モードや配置パターンは、出荷時にメーカにより適宜設定されている。しかし、この初期設定された内容は、必ずしもユーザの好みに合うものとは限らない。そこで、本実施の形態では、設定変更モードが用意されている。この設定変更モードにおいて、ユーザが所定の操作を行うことにより、画面設定テーブルの設定内容を変更することができる。
【００６３】
図７は、画面設定テーブルの設定内容の変更に係る制御動作を説明するためのフローチャートである。また、図８は、画面設定テーブルの設定内容の変更を行うためのモード設定画面の画面表示例を示す図である。以下、その動作を説明する。
【００６４】
ジョグダイヤル７によって、設定変更モードへの切替え操作がなされると、表示制御部１２０は、液晶表示器６００に画像信号を出力して、モード設定画面を表示させる（Ｓ１０１）。モード設定画面においては、図８に示すように、表示領域Ｒ１に設定内容を示す一覧表が表示される。また、操作領域Ｒ２に、決定ボタン、完了ボタン、およびジャンル、画面モード、配置パターンの設定ボタンが表示される。
【００６５】
画面設定部１３０は、設定ボタンによってジャンルが選択されたか否かを判断し（Ｓ１０２）、押されたと判断すると（Ｓ１０２：ＹＥＳ）、設定ボタンによって画面モードと配置パターンが選択されたか否かを判断する（Ｓ１０３）。そして、これらが選択されたと判断すると（Ｓ１０３：ＹＥＳ）、画面設定部１３０は、決定ボタンが押されたか否かを判断し（Ｓ１０４）、押されたと判断すると（Ｓ１０４：ＹＥＳ）、選択されたジャンルの設定内容を更新する（Ｓ１０５）。なお、この更新内容は、一覧表に反映される。ユーザは、一覧表によって更新内容を確認することができる。
【００６６】
次に、画面設定部１３０は、完了ボタンが押されたか否かを判断する（Ｓ１０６）。完了ボタンが押されていないと判断すると（Ｓ１０６：ＮＯ）、画面設定部１３０は、ステップＳ２０１に戻って、再びジャンルが選択されたか否かを判断する。そして、ジャンルの選択があれば、ステップＳ１０３からＳ１０５の処理を行い、そのジャンルの設定内容を更新する。
【００６７】
一方、ステップＳ２０６において、完了ボタンが押されたと判断すると（Ｓ１０６）、画面設定部１３０は、更新した設定内容をメモリ７００に保存する（Ｓ１０７）。このようにして、ユーザは、画面設定テーブルの設定内容を変更することができる。
【００６８】
以上、本実施の形態では、表示画面が表示領域Ｒ１と操作領域Ｒ２とに区画されるとともに、これら表示領域Ｒ１と操作領域Ｒ２との比率（画像モード）が、映像コンテンツのジャンルに応じて変更される。これにより、スポーツ番組など映像が重視される映像コンテンツに対しては、表示領域Ｒ１を大きくすることができるので、映像が視聴しやすくなるとともに、ニュース番組など映像がそれほど重視されない映像コンテンツに対しては、操作領域Ｒ２を大きくすることができるので、映像コンテンツに関連する操作がしやすくなる。
【００６９】
また、本実施の形態では、表示領域Ｒ１と操作領域Ｒ２との比率が変わることで、操作領域Ｒ２の大きさが変わった場合には、機能ボタンの個数が変わる。よって、操作領域Ｒ２が小さくなっても、機能ボタンの個数を少なくすることにより、機能ボタンのサイズを小さくしなくてすむので、ボタン操作がしにくくなるのを防止できる。
【００７０】
さらに、本実施の形態では、各映像コンテンツに対応する表示領域Ｒ１と操作領域Ｒ２との比率を、ユーザが選択できるので、ユーザの好みに合わせた表示形態とすることができる。
【００７１】
さらに、本実施の形態では、ジャンル情報が得られない場合に対しても、表示領域Ｒ１と操作領域Ｒ２との比率が設定されているので、ジャンル情報がない映像コンテンツについても、適度な状態で表示させることができる。
【００７２】
さらに、本実施の形態では、映像コンテンツの表示中に、表示領域Ｒ１と操作領域Ｒ２との比率を、ユーザが変更できるので、必要な場面に応じて、表示領域Ｒ１を大きくしたり操作領域Ｒ２を大きくしたりすることができ、利便性が向上する。
【００７３】
さらに、本実施の形態では、操作領域Ｒ２における機能ボタンの配置パターンをユーザが選択できるようにしたので、ユーザが使いやすい配置パターンを選ぶことができ、使い勝手が良くなる。
【００７４】
以上、本発明の実施形態について説明したが、本発明はこれに限定されるものではなく、また、本発明の実施形態も、特許請求の範囲に示された技術的思想の範囲内において、適宜、種々の変更が可能である。たとえば、以下のように変更され得る。
【００７５】
図９は、画面設定テーブルの設定内容の変更に係る他の制御動作を説明するためのフローチャートである。また、図１０および図１１は、画面設定テーブルの設定内容の変更に係る他の制御動作を行ったときの画面表示例を示す図である。以下、その動作を説明する。
【００７６】
ジョグダイヤル７によって、設定変更モードへの切替え操作がなされると、表示制御部１２０は、液晶表示器６００に画像信号を出力して、図１０（ａ）に示すような設定初期画面を表示させる（Ｓ２０１）。設定初期画面においては、表示領域Ｒ１に設定内容を示す一覧表が表示される。また、操作領域Ｒ２に、戻るボタン、完了ボタン、およびジャンルの設定ボタンが表示される。
【００７７】
画面設定部１３０は、設定ボタンによってジャンルが選択されたか否かを判断し（Ｓ２０２）、押されたと判断すると（Ｓ２０２：ＹＥＳ）、小画面モードの設定画面を表示するよう、表示制御部１２０に指示をする。この指示に従い、表示制御部１２０は、液晶表示器６００に画像信号を出力して、図１０（ｂ）に示すような小画面モードの設定画面を表示させる（Ｓ２０３）。小画面モードの設定画面においては、小画面モードにしたときの比率で表示領域Ｒ１と操作領域Ｒ２が区分された表示画面にされる。また、操作領域Ｒ２に、戻るボタン、決定ボタン、および送るボタンが表示される。
【００７８】
ユーザによって小画面モードが選択され、決定ボタンが押されると、画面設定部１３０は、これを判断し（Ｓ２０４：ＹＥＳ）、小画面モードに設定する（Ｓ２０５）。一方、ユーザによって小画面モードが選択されず、送りボタンが押されると、画面設定部１３０はこれを判断し（Ｓ２０６：ＹＥＳ）、大画面モードの設定画面を表示するよう、表示制御部１２０に指示する。この指示に従い、表示制御部１２０は、液晶表示器６００に画像信号を出力して、図１０（ｃ）に示すような大画面モードの設定画面を表示させる（Ｓ２０７）。大画面モードの設定画面においては、大画面モードにしたときの比率で表示領域Ｒ１と操作領域Ｒ２が区分された表示画面にされる。また、操作領域Ｒ２に、戻るボタンおよび決定ボタンが表示される。ユーザによって大画面モードが選択され、決定ボタンが押されると、画面設定部１３０は。これを判断し（Ｓ２０８：ＹＥＳ）、大画面モードに設定する（Ｓ２０９）。
【００７９】
こうして、画面モードの設定が終わると、画面設定部１３０は、それぞれの画面モードに応じた配置パターンの設定画面を表示するよう、表示制御部１２０に指示する。この指示に従い、表示制御部１２０は、液晶表示器６００に画像信号を出力して、図１１に示すような、画面モードに応じた配置パターンの設定画面を表示させる（Ｓ２１０）。小画面モードの場合には、図１１（ａ）に示すような、小画面モードの操作領域Ｒ２に配される最初の配置パターンＳ１が、実際に操作領域Ｒ２に示される。
【００８０】
ユーザによって配置パターンＳ１が選択され、決定ボタンが押されると、画面設定部１３０は、これを判断し（Ｓ２１１：ＹＥＳ）、配置パターンＳ１を操作部として設定する（Ｓ２１２）。一方、ユーザによって配置パターンＳ１が選択されず、送りボタンが押されると、画面設定部１３０はこれを判断し（Ｓ２１３：ＹＥＳ）、次の配置パターンＳ２の設定画面を表示するよう、表示制御部１２０に指示する。これにより、次の配置パターンＳ２の設定画面が表示される（Ｓ２１４）。このように、決定ボタンが押されず、送りボタンが押されると、配置パターンが順次表示され、決定ボタンが押された配置パターンが操作部として設定される。なお、大画面モードの場合には、図１１（ｂ）に示すような、大画面モードの操作領域Ｒ２に配される最初の配置パターンＢ１が、実際に操作領域Ｒ２に示される。この場合も、同様な動作（Ｓ２１１〜２１４）により、配置パターンが設定される。
【００８１】
こうして、配置パターンの設定が終わると、画面設定部１３０は、設定初期画面を表示するよう、表示制御部１２０に指示する。これにより、再び、初期設定画面が表示される（Ｓ２１５）。このとき、一覧表には更新内容が反映され、ユーザは、一覧表によって更新内容を確認することができる。
【００８２】
次に、画面設定部１３０は、完了ボタンが押されたか否かを判断する（Ｓ２１６）。完了ボタンが押されていないと判断すると（Ｓ２１６：ＮＯ）、画面設定部１３０は、ステップＳ２０２に戻って、再びジャンルが選択されたか否かを判断する。そして、ジャンルの選択があれば、ステップＳ２０３からＳ２１４の処理を行い、そのジャンルの設定内容を更新する。
【００８３】
一方、ステップＳ２１６において、完了ボタンが押されたと判断すると（Ｓ２１６：ＹＥＳ）、画面設定部１３０は、更新した設定内容をメモリ７００に保存する（Ｓ２１７）。
【００８４】
この構成では、実際に画面モードの状態（表示領域と操作領域との比率）や配置パターンの内容が表示画面に表れ、ユーザは、実際にこれらを表示画面上で確認できるので、マニュアルなどがなくても、容易に設定操作を行うことができる。
【００８５】
また、上記実施の形態では、操作領域Ｒ２の大きさに応じて機能ボタンの個数を変えるようにしている。すなわち、操作領域Ｒ２が大きい小画面モードでは、大画面モードに比べ、機能ボタンの個数（機能数）が多くなるようにしている。しかし、これに限らず、操作領域Ｒ２に応じて機能ボタンの大きさを変えるようにしてもよい。この場合、操作領域Ｒ２が大きくなれば、機能ボタンが大きくできるので、お年寄りなどにも操作がしやすくなる。
【００８６】
さらに、上記実施の形態では、表示領域Ｒ１と操作領域Ｒ２との比率（画面モード）のパターンを、小画面モードと大画面モードの２つとしている、しかし、これに限らず、３つ以上設けられてもよい。
【００８７】
この他、本発明の実施形態は、特許請求の範囲に示された技術的思想の範囲内において、適宜、種々の変更が可能である。
【図面の簡単な説明】
【００８８】
【図１】実施の形態に係る携帯電話機の構成を示す図
【図２】実施の形態に係る携帯電話機において、テレビモードおよびメールモードの画面表示例を示す図
【図３】実施の形態に係る携帯電話機の回路構成を示すブロック図
【図４】実施の形態に係る携帯電話機において、メモリ内に格納されたテレビモードの画面表示のための各種データについて説明するため図。
【図５】実施の形態に係る携帯電話機において、テレビモードにおける画面表示制御を説明するためのフローチャート
【図６】実施の形態に係る携帯電話機において、ジャンル判別に基づいて表示されるテレビモードの表示画面の画面表示例を示す図
【図７】実施の形態に係る携帯電話機において、画面設定テーブルの設定内容の変更に係る制御動作を説明するためのフローチャート
【図８】実施の形態に係る携帯電話機において、画面設定テーブルの設定内容の変更を行うためのモード設定画面の画面表示例を示す図
【図９】実施の形態に係る携帯電話機において、画面設定テーブルの設定内容の変更に係る他の制御動作を説明するためのフローチャート
【図１０】実施の形態に係る携帯電話機において、画面設定テーブルの設定内容の変更に係る他の制御動作を行ったときの画面表示例を示す図
【図１１】実施の形態に係る携帯電話機において、画面設定テーブルの設定内容の変更に係る他の制御動作を行ったときの画面表示例を示す図
【符号の説明】
【００８９】
３      液晶パネル
４      タッチパネル
１１０  判別部
１２０  表示制御部
１３０  画像設定部（変更部、キーパターン設定部）
２００  ＴＶモジュール
４００  液晶表示器（表示部）
７００  メモリ（記憶部）
【図１】
0005248870.tif 000002
【図２】
0005248870.tif 000003
【図３】
0005248870.tif 000004
【図４】
0005248870.tif 000005
【図５】
0005248870.tif 000006
【図６】
0005248870.tif 000007
【図７】
0005248870.tif 000008
【図８】
0005248870.tif 000009
【図９】
0005248870.tif 000010
【図１０】
0005248870.tif 000011
【図１１】
0005248870.tif 000012